(57)【要約】【課題】本発明は、所定の装着位置に装着した形状の異なる複数種類のカードを容易に取り出すことができるカード用コネクタ装置を提供すること。【解決手段】本発明のカード用コネクタ装置１は、ハウジング２と、幅広肉厚な第１カード１５と幅狭肉薄な第２カード１６をハウジング２に挿入可能なカード挿入口２ａとを備え、ハウジング２には、挿入された第１カード１５を排出可能な第１の排出機構と、第２カード１６を排出可能な第２の排出機構とが設けられ、第２の排出機構は、第１カード１５を挿入する際、第１カード１５の挿入を妨げない位置へ移動可能になっている。【選択図】        図１
2004214119.tif 000002
【特許請求の範囲】
【請求項１】
ハウジングと、幅広肉厚な第１カードと幅狭肉薄な第２カードを前記ハウジングに挿入可能なカード挿入口とを備え、前記ハウジングには、挿入された前記第１カードを排出可能な第１の排出機構と、前記第２カードを排出可能な第２の排出機構が設けられ、
前記第２の排出機構は、前記第１カードを挿入する際、前記第１カードの挿入を妨げない位置へ移動可能になっていることを特徴とするカード用コネクタ装置。
【請求項２】
前記第２の排出機構は、上下方向に昇降可能な昇降部材に配設され、この昇降部材は、前記第１カードの挿入に連動して降下するようにしたことを特徴とする請求項１記載のカード用コネクタ装置。
【請求項３】
前記第１の排出機構は、前記カード挿入口から挿入される前記第１カードに連動してスライド移動可能な第１スライド部材と、この第１スライド部材を挿入方向と反対方向の排出方向に付勢する第１付勢部材と、前記第１スライド部材を前記台１付勢部材の付勢力に抗して第１カード装着位置にロック可能な第１ロック部材とからなり、
前記第２の排出機構は、前記カード挿入口から挿入する前記第２カードに連動してスライド移動可能な第２スライド部材と、この第２スライド部材を前記排出方向に付勢する第２付勢部材と、前記第２スライド部材を前記第２付勢部材の付勢力に抗して第２カード装着位置にロック可能な第２ロック部材とからなることを特徴とする請求項１、または２記載のカード用コネクタ装置。
【請求項４】
前記第１カードは、前記第２カードより長く形成され、前記ハウジングには、前記第１、第２カードにそれぞれ形成した複数の外部接触部に対応して、奥側に前記第１カードの前記各外部接触部が接触可能な複数の第１端子部材が配設され、前記カード挿入口に近い側の手前側に前記第２カードの前記各外部接触部が接触可能な複数の第２端子部材が配設され、
前記第１カードの挿入に連動して降下する前記昇降部材によって、前記第２端子部材が前記第１カードと接触しない位置に押し下げられることを特徴とする請求項２または３記載のカード用コネクタ装置。
【請求項５】
前記カード挿入口には、前記昇降部材が前記第２カードを排出可能な状態で保持される昇降部材保持機構が配設され、前記第１カードを前記カード挿入口から挿入すると、前記昇降部材保持機構による前記昇降部材の保持が解除されて前記昇降部材が昇降可能になることを特徴とする請求項４記載のカード用コネクタ装置。
【請求項６】
前記ハウジングには、前記第１、第２カードの挿入方向に対して所定の角度をもって傾斜する傾斜壁が形成され、前記昇降部材には、前記傾斜壁に沿ってスライド可能なガイド突起が形成されていることを特徴とする請求項５記載のカード用コネクタ装置。
【請求項７】
前記ガイド突起は所定の隙間を挟んで一対形成され、前記隙間に前記傾斜壁を狭持した状態で前記昇降部材が昇降可能になっていることを特徴とする請求項６記載のカード用コネクタ装置。
【請求項８】
前記傾斜壁には、上昇位置にある前記昇降部材を支持可能な支持部が形成され、前記カード挿入口に挿入する前記第１カードに押されて前記支持部により支持が解除されて前記昇降部材が前記傾斜壁に沿って降下することを特徴とする請求項６または７記載のカード用コネクタ装置。
【発明の詳細な説明】
【０００１】
【発明の属する技術分野】
本発明はカード用コネクタ装置に係わり、特にパーソナルコンピュータ等の記憶媒体に用いられるＩＣカードや、デジタルカメラ等の電子機器に使用されるメモリーカード等を装着可能なカード用コネクタ装置に関する。
【０００２】
【従来の技術】
パーソナルコンピュータ（以後ＰＣと称する）やデジタルカメラ等の電子機器の増設記録装置として、内部にＩＣ（集積回路）を埋設したＩＣカードに、種々の情報の書き込み、あるいは読み出しを行うためにカード用コネクタ装置が一般的に用いられている。  このような従来のカード用コネクタ装置の記録媒体としてはＰＣカードやメモリーカード等の小型のカードが広く使用されるようになってきている。
【０００３】
このようなカードを装着可能なカード用コネクタ装置は、カードに対して必要な情報の書き込み、あるいは読み取りを行えるようになっているが、近年の小型のカードにおいては、厚さ寸法あるいは幅寸法が異なる種々のカードが販売されている。
これら種類の異なる複数のカードを使用可能な従来のカード用コネクタ装置を図３２〜図３５で説明すると、従来のカード用コネクタ装置５０は、幅広肉薄なカード５１および幅狭厚肉のカード５２を挿入可能なスロット５３、５５が形成されたベース基板５６が配設されている。
【０００４】
前記ベース基板５６の上下面にそれそれ固定された上下の基板５７、５８が配設され、この上下の基板５７、５８には、複数の端子部材５９、６０、６１を有し、この端子部材５９、６０、６１のいずれかがカード５１、５２の外部接触部５１ａ、５２ａに弾性付勢して接触可能になっている。
このような従来のカード用コネクタ装置５０は、幅広肉薄のカード５１がスロット５３にガイドされて装着可能になっており、幅狭肉厚のカード５２がスロット５５にガイドされて装着可能になっている。
【０００５】
【特許文献】
実案登録第３０７９２６３号公報
【０００６】
【発明が解決しようとする課題】
しかし、上述したような従来のカード用コネクタ装置５０は、スロット５３、５５に挿入したカード５１またはカード５２を外部に取り出すには、カード用コネクタ装置５０の外部に突出した部分を、操作者が掴んで引っぱり出さなければならなかった。
特に小型のカードは、取り出しにくいという問題があった。
【０００７】
本発明は前述したような問題点に鑑みてなされたもので、形状の異なる複数種類のカードを挿入可能なカード用コネクタ装置において、カードを容易に取り出すことができるカード用コネクタ装置を提供することを目的とする。
【０００８】
【課題を解決するための手段】
上記課題を解決するための第１の解決手段として本発明のカード用コネクタ装置は、ハウジングと、幅広肉厚な第１カードと幅狭肉薄な第２カードを前記ハウジングに挿入可能なカード挿入口とを備え、前記ハウジングには、挿入された前記第１カードを排出可能な第１の排出機構と、前記第２カードを排出可能な第２の排出機構が設けられ、
前記第２の排出機構は、前記第１カードを挿入する際、前記第１カードの挿入を妨げない位置へ移動可能になっていることを特徴とする。
【０００９】
また、上記課題を解決するための第２の解決手段として、前記第２の排出機構は、上下方向に昇降可能な昇降部材に配設され、この昇降部材は、前記第１カードの挿入に連動して降下するようにしたことを特徴とする。
【００１０】
また、上記課題を解決するための第３の解決手段として、前記第１の排出機構は、前記カード挿入口から挿入される前記第１カードに連動してスライド移動可能な第１スライド部材と、この第１スライド部材を挿入方向と反対方向の排出方向に付勢する第１付勢部材と、前記第１スライド部材を前記台１付勢部材の付勢力に抗して第１カード装着位置にロック可能な第１ロック部材とからなり、
前記第２の排出機構は、前記カード挿入口から挿入する前記第２カードに連動してスライド移動可能な第２スライド部材と、この第２スライド部材を前記排出方向に付勢する第２付勢部材と、前記第２スライド部材を前記第２付勢部材の付勢力に抗して第２カード装着位置にロック可能な第２ロック部材とからなることを特徴とする。
【００１１】
また、上記課題を解決するための第４の解決手段として、前記第１カードは、前記第２カードより長く形成され、前記ハウジングには、前記第１、第２カードにそれぞれ形成した複数の外部接触部に対応して、奥側に前記第１カードの前記各外部接触部が接触可能な複数の第１端子部材が配設され、前記カード挿入口に近い側の手前側に前記第２カードの前記各外部接触部が接触可能な複数の第２端子部材が配設され、
前記第１カードの挿入に連動して降下する前記昇降部材によって、前記第２端子部材が前記第１カードと接触しない位置に押し下げられることを特徴とする。
【００１２】
また、上記課題を解決するための第５の解決手段として、前記カード挿入口には、前記昇降部材が前記第２カードを排出可能な状態で保持される昇降部材保持機構が配設され、前記第１カードを前記カード挿入口から挿入すると、前記昇降部材保持機構による前記昇降部材の保持が解除されて前記昇降部材が昇降可能になることを特徴とする
【００１３】
また、上記課題を解決するための第６の解決手段として、前記ハウジングには、前記第１、第２カードの挿入方向に対して所定の角度をもって傾斜する傾斜壁が形成され、前記昇降部材には、前記傾斜壁に沿ってスライド可能なガイド突起が形成されていることを特徴とする。
【００１４】
また、上記課題を解決するための第７の解決手段として、前記ガイド突起は所定の隙間を挟んで一対形成され、前記隙間に前記傾斜壁を狭持した状態で前記昇降部材が昇降可能になっていることを特徴とする。
【００１５】
また、上記課題を解決するための第８の解決手段として、前記傾斜壁には、上昇位置にある前記昇降部材を支持可能な支持部が形成され、前記カード挿入口に挿入する前記第１カードに押されて前記支持部により支持が解除されて前記昇降部材が前記傾斜壁に沿って降下することを特徴とする。
【００１６】
【発明の実施の形態】
以下、本発明の実施の形態のカード用コネクタ装置を図１〜図３１に基づいて説明する。図１〜図４は本発明のカード用コネクタ装置の構成を説明する図であり、図５〜図８は本発明に係わるハウジングを説明する図であり、図９〜図１２は本発明に係わるガイド部材を説明する図であり、図１３〜図１７は本発明に係わる昇降部材を説明する図であり、図１８は本発明に係わる第１カードを説明する図であり、図１９は本発明に係わる第２カードを説明する図であり、図２０〜図２５は本発明に係わる第２カードの装着動作を説明する図であり、図２６〜図３１は本発明に係わる第１カードの装着動作を説明する図である。
【００１７】
まず、本発明の１実施の形態のカード用コネクタ装置１は、図１に示すように、外殻を構成するハウジング２を有し、このハウジング２は、樹脂材料等の絶縁材からなり外形が略矩形状に形成されている。
前記ハウジング２は、図５、６に示すように、幅寸法Ａのカード挿入口２ａが手前側に形成されている。また、ハウジング２の左右外側の側壁２ｂ、２ｂには、図８に示すように、後述する第１、第２カード１５、１６の挿入方向に対して所定の傾斜角度をもって傾斜する２本の傾斜壁２ｃが互いに対向する位置にそれぞれ形成されている。
また、左右の側壁２ｂ、２ｂは、カード挿入口２ａ寄りが幅広に形成され、この部分に後述する昇降部材保持機構であるガイド部材６を回動自在に支持可能な支持溝２ｄが形成されている。
また、傾斜壁２ｃには、図８に示すように、図示左側でハウジング２の上部側に、後述する昇降部材７を所定の昇降位置で支持可能な段差状の支持部２ｍが形成されている。
【００１８】
また、幅寸法Ａのカード挿入口２ａには、弾性を有する金属板を折り曲げて形成した一対の規制部材３が配設されている。この規制部材３は、図７に示すように、一端部側の基部３ａがハウジング２の第１桟部２ｅにインサート成型等で埋設されて片持ち支持され、他端部側の自由端状のガイド部３ｂがカード挿入口２ａに位置している。
そして、ガイド部３ｂは、略Ｖ字状に折り曲げされてカード挿入口２ａの底面から所定高さで突出しており、カード挿入口２ａに挿入される後述する第２カード１６の高さ方向をガイド可能になっている。
また、一対の規制部材３は、基部３ａとガイド部３ｂとの間に、後述する昇降部材保持機構であるガイド部材６の回動を規制可能な回動規制部３ｃがそれぞれ形成されている。
【００１９】
また、ハウジング２の奥側の第２桟部２ｆには、弾性を有する金属板からなる複数の第２端子部材４が埋設されて、後述する第２カード１６の外部接触部が接触可能になっている。また、ハウジング２の奥壁２ｇには、弾性を有する金属板からなる複数の第１端子部材５が埋設されて、端子部５ａがハウジング２外部に導出されている。
また、第１端子部材５は、図７、８に示すように、先端部５ｂがハウジング２に形成した鈎状の端子支持部２ｈに弾接して、所定高さ以上の動きが規制されている。
また、ハウジング２の左右両側壁２ｂ、２ｂの奥壁２ｇ寄りには、後述する昇降部材７と第１スライド部材９とが位置するスライド溝２ｊが所定深さで縦長状に形成され、奥壁２ｇからスライド溝２ｊ内に、棒状のバネ支持部２ｋ、２ｋが突出形成されている。
【００２０】
また、ハウジング２の支持溝２ｄには、カード挿入口２ａから挿入される後述する第１、第２カード１５、１６をガイド可能な、昇降部材保持機構であるガイド部材６が回動自在に支持されている。
前記ガイド部材６を図９〜図１２に基づいて説明すると、ガイド部材６は、図９に示すように、左右両端部に、ハウジング２の支持溝２ｄに支持可能な支持部６ａ、６ａが突出形成され、この左右の支持部６ａに挟まれた間にカード受け部６ｂが形成され、このカード受け部６ｂには、後述する第１カード１５をガイド可能な凹状の幅寸法Ａの第１ガイド部６ｃと、この第１ガイド部６ｃと９０度回転させた側に後述する第２カード１６をガイド可能な凹状の幅寸法Ｂの第２ガイド部６ｄとが形成されている。
【００２１】
前記第１ガイド部６ｃは、左右の第１側壁６ｅ、６ｅに挟まれた間に第１壁面６ｆを有して幅寸法Ａの形成されている。また、第２ガイド部６ｄは、左右の第２側壁６ｇ、６ｇに挟まれた間に第２壁面６ｈを有して幅寸法Ｂに形成されている。また、幅寸法Ａの第１ガイド部６ｃは、ハウジング２側のカード挿入口２ａの幅寸法と同寸法に形成されている。
そして、ガイド部材６のカード受け部６ｂは、図１１に示すように、第１壁面６ｆと第２壁面６ｈとが直交して形成されている。また、カード受け部６ｂの裏側で第１壁面６ｆと対向する側には、後述する昇降部材７の係合部７ａを係合させて保持可能な溝状の保持部６ｊが形成されている。
【００２２】
このようなガイド部材６は、図１に示すように、支持部６ａに捻りコイルバネ６ｋが巻回され、この状態の支持部６ａが、ハウジング２の支持溝２ｄに支持されて回動可能になっている。
そして、ガイド部材６は、捻りコイルバネ６ｋの付勢力によって、図３に示すように、支持部６ａを中心として反時計回り方向に弾性付勢されている。
また、後述する第１、第２カード１５、１６が挿入される前の初期状態におけるガイド部材６は、図１、２、３に示すように、幅寸法Ｂの第２ガイド部６ｄがカード挿入口２ａに位置した状態の第１の姿勢となって、反時計回り方向への回動は規制されいるが、時計回り方向への回動は可能な状態になっている。
【００２３】
そして、初期状態において第１の姿勢となっているガイド部材６は、図３に示すように、カード受け部６ｂの第１壁面６ｆが規制部材３の回動規制部３ｃに当接して、ガイド部材６が時計回り方向に回動しないようになっている。
また、ガイド部材６が第１の姿勢の時に、カード挿入口２ａから後述する第１カード１５を挿入すると、規制部材３のガイド部３ｂが押し下げられて、回動規制部３ｃによる時計回り方向の回動規制が解除される。
そして、ガイド部材６は、挿入される第１カード１５に押されて、第１の姿勢から９０度時計回り方向に回動して第２の姿勢になるようになっている。
この第２の姿勢となったガイド部材６は、第１ガイド部６ｃがカード挿入口２ａに位置して、カード挿入口２ａから挿入されてくる後述する第１カード１５をガイド可能になっている。
【００２４】
また、図３に示すように、第１の姿勢にあるガイド部材６の保持部６ｊには、昇降部材７が係合して上昇位置に支持されている。前記昇降部材７は、樹脂材料等からなり、図１３〜図１７に示すように、外形が略矩形状に形成されている。前記昇降部材７は、図１３〜図１５に示すように、下方に鈎状の係合部７ａが突出形成され、この係合部７ａが、図３に示すように、ガイド部材６の保持部６ｊに係合可能になっている。
【００２５】
また、昇降部材７には、ガイド部材６の第２ガイド部６ｄと同じ幅寸法Ｂの第２カードガイド部７ｂが所定深さで形成され、この第２カードガイド部７ｂの奥側に、第２カードガイド部７ｂにガイドされて挿入される後述する第２カード１６が当接可能なカード当接壁７ｃが形成されている。
また、第２カードガイド部７ｂの外側には、ガイド部材６の第１ガイド部６ｃと同じ幅寸法Ａの第１カードガイド部７ｄが、第２カードガイド部７ｂより浅く形成されて、手前側から奥側のカード当接壁７ｃ上まで通して形成されている。
【００２６】
また、第１、第２カードガイド部７ｄ、７ｂが形成された部分の手前側には、テーパ面７ｅが形成されて、ガイド部材６を通過して挿入されてくる後述する第１カード１５がテーパ面７ｅを押し下げて、上昇位置にある昇降部材７が所定の降下位置に降下するようになっている。
また、昇降部材７は、図１３に示すように、カード当接壁７ｃの図示左寄りの位置から所定長さで図示下方に突出する誤挿入防止部７ｆが形成されて、第２カード１６が誤挿入されたときに操作者が検出可能になっている。
また、図１３に示す昇降部材７には、幅寸法Ａの第１カードガイド部７ｄの左側に、所定の幅寸法で縦長状のスライダー収納部７ｇが形成され、このスライダー収納部７ｇに後述する第２スライド部材１２が収納されて、図示上下方向にスライド可能に位置するようになっている。
【００２７】
また、カード当接壁７ｃに接する状態で、矩形状で所定の大きさの開口部７ｈが形成されて、この部分に複数の第２端子部材４が位置するようになっている。また、図１３に示す昇降部材７の左右両端面には、傾斜壁２ｃに沿ってスライド可能なガイド突起８が突出形成されている。
このガイド突起８は、図１４に示すように、所定の隙間寸法Ｃを挟んで斜め方向に対向する１対の突部８ａ、８ｂが、手前側と奥側の２箇所に形成されている。
そして、寸法Ｃの隙間に傾斜壁２ｃを狭持した状態で、傾斜壁２ｃに沿って昇降可能になっている。
【００２８】
このような昇降部材７は、図３に示すように、ガイド部材６が第１の姿勢となっているときは、係合部７ａがガイド部材６の保持部６ｊに係合していると共に、カード当接壁７ｃの下面が複数の第２端子部材４に押し上げられて、ガイド突起８のそれぞれの突部８ｂ、８ｃが支持部２ｍに位置して上昇位置に支持されている。このような上昇位置にある昇降部材７は、後述する第１カード１５が挿入されてガイド部材６が第２の姿勢に回動すると、ガイド部材６に係合していた係合部７ａの係合が外れると共に支持部２ｍから突部８ｂ、８ｃが外れて、ハウジング２の傾斜壁２ｃに沿って所定の降下位置まで降下するようになっている。
即ち、昇降部材７は、挿入される第１または第２カード１５、１６の裏面１５ｂ、１６ｂから接離する方向に昇降可能になっている。
【００２９】
また、ハウジング２の奥側で左右のスライド溝２ｊ、２ｊには、図１に示すような、上面視の形状が略コ字状の一方と他方のガイド部９ａ、９ｂを有する第１スライド部材９が、図示上下方向にスライド可能に支持されて配設されている。また、第１スライド部材９は、左端部寄りの位置にカム溝９ｃを有し、挿入されてくる第１カード１５のスライドに連動して第１スライド部材９がスライドすると、カム溝９ｃ内を、ハウジング２側に一端部側が支持された第１ロック部材である第１摺動ピン１０の他端部が摺動可能になっている。
【００３０】
前記第１スライド部材９は、一方と他方のガイド部９ａ、９ｂで挿入されてくる後述する第１カード１５の前端部１５ａ側をガイドすると共に、第１カード１５に押されてハウジング２の奥壁２ｇ側にスライドし、第１カード１５を第１カード装着位置に装着可能になっている。
また、第１スライド部材９は、一方と他方のガイド部９ａ、９ｂが異なった形状になっているので、第１カード１５の誤挿入防止が可能になっている。
【００３１】
そして、第１スライド部材９は、カード挿入口２ａから挿入した後述する第１カード１５が所定の第１カード装着位置に位置すると、第１ロック部材である第１摺動ピン１０の他端部がカム溝９ｃ内のロック部（図示せず）に係合する。
そして、第１カード１５が第１カード装着位置に位置して第１スライド部材９の動きがロックされるようになっている。
また、本発明のカード用コネクタ装置１には、第１スライド部材９を第１ロック部材である第１摺動ピン１０でロック後に、第１カード装着位置に装着した第１カード１５を再度奥側に所定量押し込む（プッシュ／プッシュ操作）ことにより、第１スライド部材９のロックが解除されて、第１カード装着位置から第１カード１５を排出可能な第１の排出機構を有している。
【００３２】
前記第１の排出機構は、図１に示す第１スライド部材９の左端部寄りの位置にカム溝９ｃを有し、挿入される第１カード１５のスライドに連動して第１スライド部材９がスライドすると、カム溝９ｃ内を、ハウジング２側に一端部側が支持された第１ロック部材である第１摺動ピン１０の他端部が摺動する。
そして、第１スライド部材９は、カード挿入口２ａから挿入した後述する第１カード１５が所定の第１カード装着位置に位置すると、第１ロック部材である第１摺動ピン１０の他端部がカム溝９ｃ内のロック部（図示せず）に係合して、第１カード装着位置にある第１スライド部材９の動きがロックされるようになっている。
【００３３】
また、第１スライド部材９は、ハウジング２のバネ支持部２ｋに支持されたコイルバネからなる第１付勢部材１１によって弾性付勢されている。そのために、第１スライド部材９がロックされて第１カード装着位置にある第１カード１５を、プッシュ／プッシュ操作して、第１スライド部材９のロックが解除されると、第１付勢部材１１の付勢力で、第１カード１５を所定の排出位置まで排出可能になっている。
即ち、本発明に係わる第１の排出機構は、カード挿入口２ａから挿入する第１カード１５のスライドに連動してスライド移動可能な第１スライド部材９と、この第１スライド部材９を排出方向に付勢する第１付勢部材１１と、第１スライド部材９を第１カード装着位置にロック可能な第１ロック部材（第１摺動ピン１０）とからなっている。
【００３４】
また、昇降部材７のスライダー収納部７ｇには、図１に示すような第２スライド部材１２がスライダー収納部７ｇに沿ってスライド可能に収納されている。
前記第２スライド部材１２には、後述する第２カード１６の当接部１６ｅが当接可能なカードガイド部１２ａと、第２スライド部材１２の動きをロック可能なカム溝１２ｂとが形成されている。
また、第２スライド部材１２がスライドすると、カム溝１２ｂ内を、昇降部材７側に一端部側が支持された第２ロック部材である第２摺動ピン１３の他端部が摺動可能になっている。
【００３５】
また、第２スライド部材１２は、後述する第２カード１６が所定の第２カード装着位置に位置すると、第２ロック部材である第２摺動ピン１３の他端部がカム溝１２ｂ内のロック部（図示せず）に係合してロックされるようになっている。また、本発明のカード用コネクタ装置１には、第２スライド部材１２を第２ロック部材である第２摺動ピン１３でロック後に、第２カード装着位置に装着した第２カード１６を再度奥側に所定量押し込む（プッシュ／プッシュ操作）ことにより、第２スライド部材１２のロックが解除されて、第２カード装着位置から第２カード１６を排出可能な第２の排出機構を有している。
【００３６】
前記第２の排出機構は、図１に示す第２スライド部材１２にカム溝１２ｂを有し、挿入される第２カード１６のスライドに連動して第２スライド部材１２がスライドすると、カム溝１２ｂ内を、昇降部材７側に一端部側が支持された第２ロック部材である第２摺動ピン１３の他端部が摺動する。
そして、第２スライド部材１２は、カード挿入口２ａから挿入した後述する第２カード１６が所定の第２カード装着位置に位置すると、第２ロック部材である第２摺動ピン１３の他端部がカム溝１２ｂ内のロック部（図示せず）に係合して、第２カード装着位置にある第２スライド部材１２の動きがロックされるようになっている。
【００３７】
また、第２スライド部材１２は、第２スライド部材１２のスライダ収納部７ｇ内に支持されたコイルバネからなる第２付勢部材１４によって、弾性付勢されている。そのために、第２スライド部材１２がロックされて第２カード装着位置にある第２カード１６を、プッシュ／プッシュ操作して、第２スライド部材１２のロックが解除されると、第２付勢部材１４の付勢力で、第２カード１６を所定の排出位置まで排出可能になっている。
即ち、本発明に係わる第２の排出機構は、カード挿入口２ａから挿入する第２カード１６のスライドに連動してスライド移動可能な第２スライド部材１２と、この第２スライド部材１２を排出方向に付勢する第２付勢部材１４と、第２スライド部材１２を第２カード装着位置にロック可能な第２ロック部材（第２摺動ピン１３）とからなっている。
【００３８】
このような本発明のカード用コネクタ装置１は、ハウジング２の上方がカバー部材（図示せず）で閉じられて、内部に挿入される第１、第２カード１５、１６の上面側をガイドするようになっている。
また、第１カード１５は、図１８に示すように、後述する第２カード１６より幅広肉厚に形成され、長さも第２カード１６より長く形成されている。
このような第１カード１５は、前端部１５ａ側の裏面１５ｂに第１端子部材５に接触可能な複数の外部接触部１５ｃが露出して整列形成されている。
また、前端部１５ａの一方のコーナ部１５ｄが円弧状にカットされて、前端部１５ａが非対称に形成されている。そのために、第１カード１５を第１スラーダー９に挿入したときの逆挿入を検出可能になっている。
【００３９】
また、第２カード１６は、図１９に示すように、第１カード１５より幅狭肉薄に形成され、長さが第１カード１５より短く形成されている。
このような第２カード１６は、前端部１６ａ側の裏面１６ｂに第２端子部材４が接触可能な複数の外部接触部１６ｃが露出して整列形成されている。
また、図１８Ｃに示す前端部１６ａの左側の一方のコーナ部１６ｄには、第２スライド部材１２のカードガイド部１２ａに当接可能な当接部１６ｅと、第２スライド部材１２の誤挿入防止部７ｆが係合可能な溝部１６ｆとが所定の深さと幅寸法で形成されている。
【００４０】
即ち、第２スライド部材１２には、誤挿入防止部７ｆに対応する位置に溝部１６ｆが形成されているので、第２カード１６の逆挿入を防止するようになっている。前記ハウジング２のカード挿入口２ａに第１、第２カード１５、１６を挿入する前の初期状態におけるガイド部材６は、図２に示すように、第２ガイド部６ｄがカード挿入口２ａに位置した第１の姿勢となっている。
【００４１】
前述したような構成の本発明のカード用コネクタ装置１が、ガイド部材６が第１の姿勢となっている初期状態においては、昇降部材７が図２３に示すような上昇位置にあり、係合部７ａがガイド部材６の保持部６ｊに係合していると共に、カード当接壁７ｃが複数の第２端子部材４に押し上げられて、突部８ｂ、８ｃが、傾斜壁２ｃの支持部２ｍに支持されている。
このような初期状態のカード用コネクタ装置１に第２カード１６を装着する動作を図２０〜図２５に基づいて説明すると、まず、第２カード１６の前端部１６ａをハウジング２のカード挿入口２ａに挿入する。
【００４２】
そして、前端部１６ａ側が第１の姿勢となっているガイド部材６の寸法Ｂの第２ガイド部６ｄにガイドされて、ハウジング２内部に侵入する。
この時の第２カード１６は、一方のコーナ部１６ｄの当接部１６ｅが第２スライド部材１２のカードガイド部１２ａに当接して第２スライド部材１２を押圧し、第２スライド部材１２が昇降部材７のカード当接壁７ｃ側にスライドする。
【００４３】
このことにより、第２カード１６は、前端部１６ａ側の幅方向が、上昇位置にある昇降部材７の幅寸法Ｂの第２カードガイド部７ｂにガイドされると共に、溝部１６ｆに昇降部材７の誤挿入防止部７ｆが侵入して位置する。
そして、第２カード部材１６が図２２、図２４に示すように、第２カード装着位置に位置して、外部接触部１６ｃが第２端子部材４に接触すると、カム溝１２ｂに位置する第２摺動ピン１３によって、第２スライド部材１２の動きがロックされる。前記第２カード１６が第２カード装着位置に位置することで、第２端子部材４を介して、第２カードに情報に書き込み、または読み出しを行うことができる。
【００４４】
また、第２カード装着位置に位置する第２カード１６を排出（イジェクト）するは、第２カード１６を一旦所定量奥側に押し込む（プッシュ・プッシュ操作）。  すると、第２ロック部材である第２摺動ピン１３による第２スライド部材１２のロックが解除されて、第２付勢部材１４の付勢力で、第２スライド部材１２がカード挿入口２ａ側に押されると共に第２カード装着位置にあった第２カード１６が図２０に示す位置まで排出される。
そして、カード挿入口２ａから外部に所定量排出された第２カード１６を、操作者が取り出すことができる。この時の第２カード１６は、複数の第２端子部材４の圧接が外れているので、小さな力で取り出すことができる。
【００４５】
また、ガイド部材６が第１の姿勢となっている状態の本発明のカード用コネクタ装置１に、第１カード１５を装着する動作を図２６〜図３１に基づいて説明する。まず、ガイド部材６が第１の姿勢となっているカード挿入口２ａに第１カード１５を挿入すると、第１カード１５の前端部１５ａが、ガイド部材６の第１壁面６ｆを押圧する。
このことで、ガイド部材６は、支持部６ａを支点として時計回り方向に回動して保持部６ｊと係合部７ａとの係合が外れると共に、幅寸法Ａの第１ガイド部６ｃがカード挿入口２ａに位置して、挿入されてくる第１カード１５の幅方向をガイドすることができる。
【００４６】
そして、第１ガイド部６ｃにガイドされた第１カード１５をハウジング２の奥側に更に押し込むと、第１カード１５の前端部１５ａが、昇降部材７のテーパー面７ｅを押圧して、昇降部材７をハウジング２の奥側に所定量スライドさせる。すると、昇降部材７の突部８ｂ、８ｃが傾斜壁２ｃの支持部２ｍから外れて、第２に排出機構を有する昇降部材７が傾斜壁２ｃに沿って図３１に示すように降下する。
即ち、第２の排出機構は、第１カード１５を挿入する際、第１カード１５の挿入を妨げない位置へ移動可能になっている。
また、昇降部材７が降下することにより、第１カード１５は、昇降部材７の幅寸法Ａの第１カードガイド部７ｄにガイドされて、昇降部材７のカード当接壁７ｃ上を通過して、ハウジング２の奥側に侵入する。そして、前端部１５ａが第１スライド部材９一方と他方のガイド部９ａ、９ｂにガイドされる。
【００４７】
その後、更に第１カード１５を奥側に押し込むと、第１スライド部材９が第１付勢部材１１の付勢力に抗して奥側にスライドする。このことにより、第１カード部材１５の外部接触部１５ｃが第１端子部材５に接触する。
同時に、第１スライド部材９のカム溝９ｃに形成したロック部（図示せず）に第１ロック部材である第１摺動ピン１０によって、第１スライド部材９の動きがロックされる。そして、第１カード１５が、図２９、３０に示すような第１カード装着位置に位置する。
前記第１カード１５が第１カード装着位置に位置することで、第１端子部材５を介して、第１カード１５に情報に書き込み、または読み出しを行うことができる。
【００４８】
また、第１カード装着位置に位置する第１カード１５を排出するは、第１カード１５を一旦所定量奥側に押し込む（プッシュ・プッシュ操作）と、第１ロック部材である第１摺動ピン１０による第１スライド部材９のロックが解除されて、第１付勢部材１１の付勢力で、第１スライド部材９がカード挿入口２ａ側に押されると共に第１カード装着位置にあった第１カード１５が図２６に示す所定位置まで排出される。
そして、カード挿入口２ａから外部に所定量飛び出した第１カード１５を操作者が取り出すようになっている。この時の第１カード１５は、複数の第１端子部材５の圧接が外れているので、軽い力で取り出すことができる。
【００４９】
このような本発明のカード用コネクタ装置１は、断面形状において大きさが包含される、幅広肉厚な第１カード１５と幅狭肉薄の第２カード１６とを、ガイド部材６と昇降部材７とによって確実にガイドして、それぞれのカード装着位置に案内して確実に装着することができる。
また、それぞれのカード装着位置に装着した第１、第２カード１５、１６は、第１排出機構および第２排出機構で所定量は移出することができるので、第１、第２カード１５、１６の取り出しが容易である。
【００５０】
【発明の効果】
以上説明したように、第２の排出機構は、第１カードを挿入する際、第１カードの挿入を妨げない位置へ移動可能になっているので、断面形状において大きさが包含される関係にある形状の異なる第１、第２カードをスムーズに挿入して装着することができる。
【００５１】
また、第１カードおよび第２カードを、それぞれ第１、第２の排出機構によって容易に取り出すことができる。
【００５２】
また、第１の排出機構は、第１スライド部材と、第１付勢部材と、第１ロック部材とからなり、第２の排出機構は、第２スライド部材と、第２付勢部材と、
第２ロック部材とからなるので、それぞれのカード装着位置に装着した第１、第２カードをプッシュ／プッシュ操作することにより、第１、第２付勢部材で第１、第２カードを確実に所定の排出位置まで排出することができる。
この所定の排出位置に排出された第１、第２カードは、第１、第２端子部材の圧接が解除されているので、操作者が軽い力で取り出すことができる。
【００５３】
また、第１カードの挿入に連動して降下する昇降部材によって、第２端子部材が第１カードと接触しない位置に押し下げられるので、第１カードを挿入する際に、第１カードの裏面が第２端子部材と接触して摩耗することを防止できる。
【００５４】
また、カード挿入口には、昇降部材が第２カードを排出可能な状態で保持される昇降部材保持機構が配設され、第１カードをカード挿入口から挿入すると、昇降部材保持機構による昇降部材の保持が解除されて昇降部材が昇降するので、第１、第２カードの装着と排出とを確実に行うことができる。
【００５５】
また、ハウジングには、第１、第２カードの挿入方向に対して所定の角度をもって傾斜する傾斜壁が形成され、昇降部材には、傾斜壁に沿ってスライド可能なガイド突起が形成されているので、傾斜壁に沿って確実に昇降部材を昇降させて、第１カードを確実に装着、排出できる。
【００５６】
また、ガイド突起は所定の隙間を挟んで一対形成され、隙間に傾斜壁を狭持した状態で昇降部材が昇降可能になっているので、昇降部材の昇降を更に確実に行うことができる。
【００５７】
また、前記傾斜壁には、上昇位置にある前記昇降部材を支持可能な支持部が形成され、前記カード挿入口に挿入する前記第１カードに押されて支持部による支持が解除されて昇降部材が傾斜壁に沿って降下するので、上昇位置にある昇降部材を確実に支持することができる。
【図面の簡単な説明】
【図１】本発明のカード用コネクタ装置の構成を説明する図である。
【図２】本発明のカード用コネクタ装置の構成を説明する図である。
【図３】本発明のカード用コネクタ装置の構成を説明する図である。
【図４】本発明のカード用コネクタ装置の構成を説明する図である。
【図５】本発明に係わるハウジングを説明する図である。
【図６】本発明に係わるハウジングを説明する図である。
【図７】本発明に係わるハウジングを説明する図である。
【図８】本発明に係わるハウジングを説明する図である。
【図９】本発明に係わるガイド部材を説明する図である。
【図１０】本発明に係わるガイド部材を説明する図である。
【図１１】本発明に係わるガイド部材を説明する図である。
【図１２】本発明に係わるガイド部材を説明する図である。
【図１３】本発明に係わる昇降部材を説明する図である。
【図１４】本発明に係わる昇降部材を説明する図である。
【図１５】本発明に係わる昇降部材を説明する図である。
【図１６】本発明に係わる昇降部材を説明する図である。
【図１７】本発明に係わる昇降部材を説明する図である。
【図１８】本発明に係わる第１カードを説明する図である。
【図１９】本発明に係わる第２カードを説明する図である。
【図２０】本発明に係わる第２カードの装着動作を説明する図である。
【図２１】本発明に係わる第２カードの装着動作を説明する図である。
【図２２】本発明に係わる第２カードの装着動作を説明する図である。
【図２３】本発明に係わる第２カードの装着動作を説明する図である。
【図２４】本発明に係わる第２カードの装着動作を説明する図である。
【図２５】本発明に係わる第２カードの装着動作を説明する図である。
【図２６】本発明に係わる第１カードの装着動作を説明する図である。
【図２７】本発明に係わる第１カードの装着動作を説明する図である。
【図２８】本発明に係わる第１カードの装着動作を説明する図である。
【図２９】本発明に係わる第１カードの装着動作を説明する図である。
【図３０】本発明に係わる第１カードの装着動作を説明する図である。
【図３１】本発明に係わる第１カードの装着動作を説明する図である。
【図３２】従来のカード用コネクタ装置を説明する図である。
【図３３】従来のカード用コネクタ装置を説明する図である。
【図３４】従来のカード用コネクタ装置を説明する図である。
【図３５】従来のカード用コネクタ装置を説明する図である。
【符号の説明】
１  本発明のカード用コネクタ装置
２  ハウジング
２ａ  カード挿入口
２ｃ  傾斜壁
２ｍ  支持部
３  規制部材
３ｂ  ガイド部
３ｃ  回動規制部
４  第２端子部材
５  第１端子部材
６  ガイド部材
６ｃ  第１ガイド部
６ｄ  第２ガイド部
７  昇降部材
７ｂ  第２カードガイド部
７ｄ  第１カードガイド部
７ｅ  テーパ部
７ｆ  誤挿入防止部
７ｇ  スライダー収納部
８  ガイド突起
８ａ  突部
８ｂ  突部
８ｃ  突部
９  第１スライド部材
９ａ  一方のガイド部
９ｂ  他方のガイド部
９ｃ  カム溝
１０  第１摺動ピン
１１  第１付勢部材
１２  第２スライド部材
１３  第２摺動ピン
１４  第２付勢部材
１５  第１カード
１５ａ  前端部
１５ｂ  裏面
１５ｃ  外部接触部
１６  第２カード
１６ａ  前端部
１６ｂ  裏面
１６ｃ  外部接触部
１６ｅ  当接部
１６ｆ  溝部
【図１】
2004214119.tif 000003
【図２】
2004214119.tif 000004
【図３】
2004214119.tif 000005
【図４】
2004214119.tif 000006
【図５】
2004214119.tif 000007
【図６】
2004214119.tif 000008
【図７】
2004214119.tif 000009
【図８】
2004214119.tif 000010
【図９】
2004214119.tif 000011
【図１０】
2004214119.tif 000012
【図１１】
2004214119.tif 000013
【図１２】
2004214119.tif 000014
【図１３】
2004214119.tif 000015
【図１４】
2004214119.tif 000016
【図１５】
2004214119.tif 000017
【図１６】
2004214119.tif 000018
【図１７】
2004214119.tif 000019
【図１８】
2004214119.tif 000020
【図１９】
2004214119.tif 000021
【図２０】
2004214119.tif 000022
【図２１】
2004214119.tif 000023
【図２２】
2004214119.tif 000024
【図２３】
2004214119.tif 000025
【図２４】
2004214119.tif 000026
【図２５】
2004214119.tif 000027
【図２６】
2004214119.tif 000028
【図２７】
2004214119.tif 000029
【図２８】
2004214119.tif 000030
【図２９】
2004214119.tif 000031
【図３０】
2004214119.tif 000032
【図３１】
2004214119.tif 000033
【図３２】
2004214119.tif 000034
【図３３】
2004214119.tif 000035
【図３４】
2004214119.tif 000036
【図３５】
2004214119.tif 000037